【手続補正書】
【提出日】平成19年12月28日(2007.12.28)
【手続補正１】
【補正対象書類名】明細書
【補正対象項目名】発明の名称
【補正方法】変更
【補正の内容】
【発明の名称】カラー画像表示装置およびその駆動方法
【手続補正２】
【補正対象書類名】明細書
【補正対象項目名】特許請求の範囲
【補正方法】変更
【補正の内容】
【特許請求の範囲】
【請求項１】
複数のソース信号線を駆動するソース信号線駆動回路と、複数のゲート信号線を駆動するゲート信号線駆動回路と、画素アレイ部と、を有するカラー画像表示装置であって、
前記ソース信号線駆動回路は、複数のＤ／Ａ変換回路と、複数のソース線選択回路と、を有し、
前記複数のＤ／Ａ変換回路はそれぞれ前記複数のソース線選択回路のいずれか一を介して、ＲＧＢに対応した３の倍数本の前記ソース信号線に接続され、かつ前記ＲＧＢに対応したソース信号線は共通の階調電源線に電気的に接続され、
前記階調電源線には１ゲート線選択期間内に前記ＲＧＢに対応した電源電圧が印加されることを特徴とするカラー画像表示装置。
【請求項２】
請求項１において、
前記１ゲート線選択期間に、前記複数のソース線選択回路はそれぞれ全ての前記ソース信号線を順に選択して前記複数のＤ／Ａ変換回路のいずれか一と電気的に接続され、
前記複数のＤ／Ａ変換回路に電気的に接続されるソース信号線は、前記ＲＧＢについて同色に対応しており、
前記階調電源線には、前記同色に対応したソース信号線に対応する色を表示するための前記電源電圧が印加されることを特徴とするカラー画像表示装置。
【請求項３】
請求項２において、
前記複数のＤ／Ａ変換回路はそれぞれ前記複数のソース線選択回路のいずれか一を介して、６以上で３の倍数本の前記ソース信号線に電気的に接続され、
前記１ゲート線選択期間における前記複数のＤ／Ａ変換回路ではそれぞれ前記ＲＧＢについて同色に対応した前記ソース信号線が連続して選択されていることを特徴とするカラー画像表示装置。
【請求項４】
請求項１において、
前記１ゲート線選択期間を第１、第２および第３の期間に分割し、
前記第１の期間には、前記ＲＧＢのうち第１の色に対応する前記電源電圧が前記階調電源線に印加され、同時に前記ソース線選択回路はそれぞれ前記第１の色に対応する１本或いは複数本の前記ソース信号線を選択し前記複数のＤ／Ａ変換回路のいずれか一と電気的に接続させ、
前記第２の期間には、前記ＲＧＢのうち第２の色に対応する前記電源電圧が前記階調電源線に印加され、同時に前記ソース線選択回路はそれぞれ前記第２の色に対応する１本或いは複数本の前記ソース信号線を選択し前記複数のＤ／Ａ変換回路のいずれか一と電気的に接続させ、
前記第３の期間には、前記ＲＧＢのうち第３の色に対応する前記電源電圧が前記階調電源線に印加され、同時に前記ソース線選択回路はそれぞれ前記第３の色に対応する１本或いは複数本の前記ソース信号線を選択し前記複数のＤ／Ａ変換回路のいずれか一と電気的に接続させることを特徴とするカラー画像表示装置。
【請求項５】
請求項４において、
前記ソース信号線駆動回路は、前記複数のＤ／Ａ変換回路とそれぞれ電気的に接続された複数のＰ／Ｓ変換回路を有し、
前記複数のＰ／Ｓ変換回路はそれぞれ前記第１の期間には、前記第１の色に対応するソース信号線に対する映像信号を出力し、
前記第２の期間には、前記第２の色に対応するソース信号線に対する映像信号を出力し、
前記第３の期間には、前記第３の色に対応するソース信号線に対する映像信号を出力することを特徴とするカラー画像表示装置。
【請求項６】
請求項１乃至請求項５のいずれか一項において、
前記画素アレイ部における表示素子に液晶材料を用いることを特徴とするカラー画像表示装置。
【請求項７】
請求項１乃至請求項５のいずれか一項において、
前記画素アレイ部における表示素子にエレクトロルミネッセンス（ＥＬ）材料を用いることを特徴とするカラー画像表示装置。
【請求項８】
請求項１乃至請求項７のいずれか１項に記載の前記カラー画像表示装置を用いることを特徴とする携帯電話、ビデオカメラ、パーソナルコンピュータ、ヘッドマウントディスプレイ、テレビ、携帯書籍、ＤＶＤプレーヤー、デジタルカメラまたはプロジェクター。
【請求項９】
複数のソース信号線を駆動するソース信号線駆動回路と、複数のゲート信号線を駆動するゲート信号線駆動回路と、画素アレイ部と、を有するカラー画像表示装置であって、
前記ソース信号線駆動回路は、複数のＤ／Ａ変換回路と、複数のソース線選択回路と、を有し、
前記複数のＤ／Ａ変換回路はそれぞれ前記複数のソース線選択回路のいずれか一を介して、ＲＧＢに対応した３の倍数本の前記ソース信号線に接続され、かつ前記ＲＧＢに対応したソース信号線は共通の階調電源線に電気的に接続され、
前記階調電源線には１ゲート線選択期間内に前記ＲＧＢに対応した電源電圧が印加されることを特徴とするカラー画像表示装置の駆動方法。
【請求項１０】
請求項９において、
前記１ゲート線選択期間に、前記複数のソース線選択回路はそれぞれ全ての前記ソース信号線を順に選択して前記複数のＤ／Ａ変換回路のいずれか一と電気的に接続され、
前記複数のＤ／Ａ変換回路に電気的に接続されるソース信号線は、前記ＲＧＢについて同色に対応しており、
前記階調電源線には、前記同色に対応したソース信号線に対応する色を表示するための前記電源電圧が印加されることを特徴とするカラー画像表示装置の駆動方法。
【請求項１１】
請求項１０において、
前記複数のＤ／Ａ変換回路はそれぞれ前記複数のソース線選択回路のいずれか一を介して、６以上で３の倍数本の前記ソース信号線に電気的に接続され、
前記１ゲート線選択期間における前記複数のＤ／Ａ変換回路ではそれぞれ前記ＲＧＢについて同色に対応した前記ソース信号線が連続して選択されていることを特徴とするカラー画像表示装置の駆動方法。
【請求項１２】
請求項９において、
前記１ゲート線選択期間を第１、第２および第３の期間に分割し、
前記第１の期間には、前記ＲＧＢのうち第１の色に対応する前記電源電圧が前記階調電源線に印加され、同時に前記ソース線選択回路はそれぞれ前記第１の色に対応する１本或いは複数本の前記ソース信号線を選択し前記複数のＤ／Ａ変換回路のいずれか一と電気的に接続させ、
前記第２の期間には、前記ＲＧＢのうち第２の色に対応する前記電源電圧が前記階調電源線に印加され、同時に前記ソース線選択回路はそれぞれ前記第２の色に対応する１本或いは複数本の前記ソース信号線を選択し前記複数のＤ／Ａ変換回路のいずれか一と電気的に接続させ、
前記第３の期間には、前記ＲＧＢのうち第３の色に対応する前記電源電圧が前記階調電源線に印加され、同時に前記ソース線選択回路はそれぞれ前記第３の色に対応する１本或いは複数本の前記ソース信号線を選択し前記複数のＤ／Ａ変換回路のいずれか一と電気的に接続させることを特徴とするカラー画像表示装置の駆動方法。
【請求項１３】
請求項１２において、
前記ソース信号線駆動回路は、前記複数のＤ／Ａ変換回路とそれぞれ電気的に接続された複数のＰ／Ｓ変換回路を有し、
前記複数のＰ／Ｓ変換回路はそれぞれ前記第１の期間には、前記第１の色に対応するソース信号線に対する映像信号を出力し、
前記第２の期間には、前記第２の色に対応するソース信号線に対する映像信号を出力し、
前記第３の期間には、前記第３の色に対応するソース信号線に対する映像信号を出力することを特徴とするカラー画像表示装置の駆動方法。